(57)【要約】【課題】無線通信装置の電気定格以上の昇降行程で無線通信装置を使用可能にしたエレベータ信号伝送システムを提供する。【解決手段】エレベータ制御盤とかごの機器との信号伝送を無線で行うエレベータ信号伝送システムにおいて、昇降路頂部とかご上に設けられた第１の無線通信装置対８，９と、かご下と昇降路底部に設けられた第２の無線通信装置対１０，１１と、かごの位置が昇降路中の所定の位置に等しいか高い位置の時に上記第１の無線通信装置対の間で信号伝送を行い、所定の位置より低い位置の時に上記第２の無線通信装置対の間で信号伝送を行うように無線通信装置を切り換える手段２０と、を備えた。【選択図】        図１
2004323180.tif 000002
【特許請求の範囲】
【請求項１】
エレベータ制御盤とかごの機器との信号伝送を無線で行うエレベータ信号伝送システムにおいて、
昇降路頂部とかご上に設けられた第１の無線通信装置対と、
かご下と昇降路底部に設けられた第２の無線通信装置対と、
かごの位置が昇降路中の所定の位置に等しいか高い位置の時に上記第１の無線通信装置対の間で信号伝送を行い、所定の位置より低い位置の時に上記第２の無線通信装置対の間で信号伝送を行うように無線通信装置を切り換える手段と、
を備えたことを特徴とするエレベータ信号伝送システム。
【請求項２】
上記無線通信装置を切り換える手段が、エレベータ制御盤からのかごのいる階床位置を示すインジケータ信号と予め格納した無線通信装置を切り換える階床位置との比較に基づき無線通信装置の切換信号を発生するインジケータ識別手段を含むことを特徴とする請求項１に記載のエレベータ信号伝送システム。
【請求項３】
上記インジケータ識別手段が、エレベータ制御盤とかごの機器との無線通信がない時に無線通信装置の切換信号を発生することを特徴とする請求項２に記載のエレベータ信号伝送システム。
【発明の詳細な説明】
【０００１】
【発明の属する技術分野】
この発明はエレベータに関し、特にエレベータ制御盤とかご機器間の信号伝送を行うエレベータ信号伝送システムに関する。
【０００２】
【従来の技術】
従来のこの種のシステムとして、昇降路頂部とかご上に無線通信装置を取付け、エレベータ制御盤とかご機器間を信号伝送しているものがあった（例えば特許文献１参照）。
【０００３】
【特許文献１】
特開昭６３−３０００８４号公報
【０００４】
【発明が解決しようとする課題】
上記の従来の無線通信装置を使用したエレベータ制御盤とかご機器間の信号伝送システムでは、無線通信装置の信号伝送距離が無線通信装置の電気定格により定められるために、無線通信装置の電気定格以上の昇降行程では無線通信装置を使用した信号伝送システムを適用できないという問題点があった。
【０００５】
この発明は、無線通信装置の電気定格以上の昇降行程で無線通信装置を使用可能にしたエレベータ信号伝送システムを提供することを目的とする。
【０００６】
【課題を解決するための手段】
上記の目的に鑑み、この発明は、エレベータ制御盤とかごの機器との信号伝送を無線で行うエレベータ信号伝送システムにおいて、昇降路頂部とかご上に設けられた第１の無線通信装置対と、かご下と昇降路底部に設けられた第２の無線通信装置対と、かごの位置が昇降路中の所定の位置に等しいか高い位置の時に上記第１の無線通信装置対の間で信号伝送を行い、所定の位置より低い位置の時に上記第２の無線通信装置対の間で信号伝送を行うように無線通信装置を切り換える手段と、を備えたことを特徴とするエレベータ信号伝送システムにある。
【０００７】
【発明の実施の形態】
図１はこの発明の一実施の形態によるエレベータ制御盤とエレベータかごに搭載されている各種機器（特に図示せず）との信号伝送を無線で行うエレベータ信号伝送システムの全体の構成を示す図である。図において、エレベータ昇降路４には、エレベータかご５、エレベータかご５の上部に設置されるかご上側無線通信装置９、エレベータかご５の下部に設置されるかご下側無線通信装置１０、釣合い重り６、ロープ７、エレベータ昇降路頂部に設置される頂部側無線通信装置８、エレベータ昇降路底部に設置される底部側無線通信装置１１が備えられている。また、エレベータ機械室１には、エレベータ制御盤２、巻上機３が備えられている。
【０００８】
無線エレベータ昇降路頂部に設置される頂部側無線通信装置８およびエレベータ昇降路底部に設置される底部側無線通信装置１１は共に有線でエレベータ制御盤２内の無線通信切換装置２０に接続され、この頂部側無線通信装置８とエレベータかご５の上部に設置されるかご上側無線通信装置９との間、エレベータかご５の下部に設置されるかご下側無線通信装置１０と底部側無線通信装置１１との間はそれぞれ無線通信が行われる。なお、無線通信の切換えを行う無線通信切換装置２０は頂部側無線通信装置８と底部側無線通信装置１１を切り換えるための装置であり、図１ではエレベータ制御盤２内に示したが、各通信装置８、１１およびエレベータ制御盤２に接続可能であればどこに設けられていてもよい。
【０００９】
図２は図１の例でエレベータ制御盤２内に備えられた無線通信切換装置２０の一構成例を示す。無線通信切換装置２０は、１／Ｆ回路１２、変／復調回路１３、無線通信装置切換スイッチ１４ａ，１４ｂ、インジケータ識別手段１５を有する。
【００１０】
１／Ｆ回路１２は、エレベータ機器との通信を行うための１／Ｆ回路であり、ここではエレベータ制御盤２との信号の入出力を行うための１／Ｆ回路である。変／復調回路１３は１／Ｆ回路１２からの信号を変調して頂部側無線通信装置８及び底部側無線通信装置１１に出力するとともに、頂部側無線通信装置８及び底部側無線通信装置１１からの信号を復調して１／Ｆ回路１２に出力する。無線通信装置切換スイッチ１４ａ，１４ｂは、インジケータ識別手段１５からの指令に基づいて、使用する無線通信装置を頂部側無線通信装置８又は底部側無線通信装置１１、ひいてはかご上側無線通信装置９又はかご下側無線通信装置１０のいずれかに切換える。
【００１１】
インジケータ識別手段１５は、ＣＰＵ１５ａ、ＲＯＭ１５ｂ、ＲＡＭ１５ｃおよび階床設定スイッチ１５ｄにより構成されており、１／Ｆ回路１２と変／復調回路１３の間のエレベータ制御信号に含まれるエレベータかご５の位置を示すインジケータ信号を常に識別しこれが、階床設定スイッチ１５ｄに予め設定されている任意の無線通信装置を切り換えるエレベータかご５の階床位置になったときに、無線通信装置切換スイッチ１４ａ，１４ｂに対して無線通信装置切換司令を出力する。
【００１２】
例えば、頂部側無線通信装置８で通信可能なエレベータかごの階床位置（通信可能な下限に近いあるいは下限の階床位置）を階床設定スイッチ１５ｄに設定すると、インジケータ信号が階床設定スイッチ１５ｄの値より大きいあるいはその値以上のときは、インジケータ識別手段１５から無線通信装置切換スイッチ１４ａ，１４ｂに対して頂部側無線通信装置８の使用命令を出力して、頂部側無線通信装置８とかご上側無線通信装置９間にて無線通信（信号伝送）を行い、インジケータ信号が階床設定スイッチ１５ｄの値以下あるいはその値未満のときは、インジケータ識別手段１５から無線通信装置切換スイッチ１４ａ，１４ｂに対して底部側無線通信装置１１の使用司令を出力して、底部側無線通信装置１１とかご下側無線通信装置１０間にて無線通信（信号伝送）を行う。エレベータかご５側では、例えばかご上側無線通信装置９とかご下側無線通信装置１０のいずれか信号を受信した方からの信号を受けると共に受信した方の無線通信装置から信号を送信するようにする。
【００１３】
なお、無線通信装置を切り換えるエレベータかご５の階床位置を予め設定しておくものは階床設定スイッチ１５ｄに限らず、例えばＲＯＭやＲＡＭ等のメモリにデータとして記憶されていてもよい。
【００１４】
図３はインジケータ識別手段１５の動作を示すフローチャートである。動作を説明すると、ステップＳ１では電源投入時のインジケータ識別手段１５が無線通信装置切換スイッチ１４ａ，１４ｂに対して無線通信装置切換信号を出力する。初期値として頂部側無線通信装置８を使用する司令を出力する。ステップＳ２では無線データ通信が可能か否かの確認を行い、無線データ通信が可能であればステップＳ４に進み、無線データ通信が不可能であればステップＳ３に進む。
【００１５】
ステップＳ３ではインジケータ識別手段１５が無線通信装置切換スイッチ１４ａ，１４ｂに対して底部側無線通信装置１１に切換える司令を出力する。ステップＳ２にて無線データ通信が不可能な場合、頂部側無線通信装置８とかご上側無線通信装置９間の無線通信距離が無線通信装置の電気定格より長距離のため、ステップＳ３にて無線通信装置を切換えて無線データ通信を可能にする。
【００１６】
ステップＳ４では階床設定スイッチ１５ｄの値とインジケータ信号を識別し、階床設定スイッチ１５ｄの値とインジケータ信号の値をＲＡＭ１５ｃに保存する。ステップＳ５では無線データ通信が実施中か待機中かの確認を行い、実施中であれば待機中になるまで繰り返しステップＳ５のステップを実施し、待機中であればステップＳ６に進む。ステップＳ５では無線通信装置の切換えを無線データの待機中、すなわちエレベータ制御盤とかごの機器との無線通信がない時に実施して、無線装置の切換えに伴うデータ化けを防ぐ。
【００１７】
ステップＳ６ではＲＡＭ１５ｃに保存されたインジケータ信号の値と階床設定スイッチ１５ｄの値の比較を行い、例えばインジケータ信号が階床設定スイッチ１５ｄの値以上であればステップＳ７に進み、インジケータ信号が階床設定スイッチ１５ｄより小さければ（未満）ステップＳ８に進む。ステップＳ７ではインジケータ識別手段１５が無線通信装置切換スイッチ１４ａ，１４ｂに対して頂部側無線通信装置８に切換える司令を出力し、ステップＳ６でインジケータ信号が階床設定スイッチ１５ｄの値より小さいときはステップＳ８で底部側無線通信装置１１にて無線通信させるようにしている。ステップＳ７もしくはＳ８が完了したらステップＳ４のステップに戻り、同様の動作を電源が遮断されるまで繰り返す。
【００１８】
なお、上記実施の形態ではエレベータ昇降路４側、例えばエレベータ制御盤２に無線通信切換装置２０を設けて頂部側無線通信装置８と底部側無線通信装置１１の切り換えを行ったが、エレベータかご５側に無線通信切換装置２０を設けてかご上側無線通信装置９とかご下側無線通信装置１０を同様に切り換えるようにしてもよい。この場合、インジケータ信号は頂部側無線通信装置８又は底部側無線通信装置１１からエレベータかご５側に無線で送り、エレベータかご５側ではこれをかご上側無線通信装置９又は下側無線通信装置１０で受けてＩ／Ｆ回路１２から入力して無線通信切換装置２０で使用するようにすればよい。
【００１９】
この発明では、無線通信装置の信号伝送距雌は無線通信装置の電気定格により定められるため、無線通信装置の電気定格以上の昇降行程では無線通信装置を使用した信号伝送システムは適用不可能であったが、エレベータ制御盤とかご機器間の信号伝送を中間階で昇降路頂部とかご上の無線通信装置からかご下と昇降路底部の無線通信装置へ無線通信切換装置から出力される無線通信装置切換信号により切換える（エレ上昇時の切換順序は逆）ことにより約２倍の昇降行程を得ることが可能となる。
【００２０】
また、昇降路頂部とかご上間の無線通信装置からかご下と昇降路底部間への無線通信装置へ切換える無線通信切換装置の切換基準にインジケータ識別手段を備え、任意のインジケータ信号により使用する無線通信装置を切換えることにより自動での無線通信装置の切換が可能となる。
【００２１】
また、無信号領域で無線通信装置の切換を行うことにより、無線通信装置切換時に発生することが懸念される無線信号のデータ化けを防止することが可能となる。
【００２２】
【発明の効果】
以上のように、エレベータ制御盤とかごの機器との信号伝送を無線で行うエレベータ信号伝送システムにおいて、昇降路頂部とかご上に設けられた第１の無線通信装置対と、かご下と昇降路底部に設けられた第２の無線通信装置対と、かごの位置が昇降路中の所定の位置に等しいか高い位置の時に上記第１の無線通信装置対の間で信号伝送を行い、所定の位置より低い位置の時に上記第２の無線通信装置対の間で信号伝送を行うように無線通信装置を切り換える手段と、を備えたので、約２倍の昇降行程を得ることが可能となる。
【図面の簡単な説明】
【図１】この発明の一実施の形態によるエレベータ信号伝送システムの全体の構成を示す図である。
【図２】図１の例でエレベータ制御盤内に備えられた無線通信切換装置の一構成例を示す図である。
【図３】この発明によるインジケータ識別手段の動作を示すフローチャートである。
【符号の説明】
１  エレベータ機械室、２  エレベータ制御盤、３  巻上機、４  エレベータ昇降路、５  エレベータかご、６  釣合い重り、７  ロープ、８  頂部側無線通信装置、９  かご上側無線通信装置、１０  かご下側無線通信装置、１１  底部側無線通信装置、１２  １／Ｆ回路、１３  変／復調回路、１４ａ，１４ｂ  無線通信装置切換スイッチ、１５  インジケータ識別手段、１５ａ  ＣＰＵ、１５ｂ  ＲＯＭ、１５ｃ  ＲＡＭ、１５ｄ  階床設定スイッチ、２０  無線通信切換装置。
【図１】
2004323180.tif 000003
【図２】
2004323180.tif 000004
【図３】
2004323180.tif 000005